(57)【要約】　　　（修正有）【課題】収容される液体や粉体等の内容物の量に影響されることなく、連続した帯状の充填包装袋の袋状部と横シール部箇所との厚みによる境目の検知を正確で、かつ安定した追従作動を可能とする充填包装袋の厚み検出装置を提供する。【解決手段】連続した充填包装袋Ｐに形成された袋状部ＦＰと横シール部ＦＳとの厚みの差異を検出可能とする厚み検出機構５には、包装袋の送り方向に対し包装袋の横方向の揺れに追従し、かつ包装袋のフィルムの外側両面側からそれぞれ対向して押圧当接可能とする検出子１３と、袋状部ＦＰと横シール部ＦＳとの厚みの差異による検出子の変位を検知する検知器１６と、を設けてなる充填包装袋の厚み検出装置であるため、品種毎の包装形態、特に包装袋の厚みが変わったとしても、包装袋の横揺れに対しても追従性が良好となり、包装袋の袋状部の厚みの変化に影響されることなく安定した状態にて検知器を作動することができる。【選択図】　図４
2004051225.tif 000002
【特許請求の範囲】
【請求項１】
縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、連続した充填包装袋の送り方向に対し充填包装袋の横方向の揺れに追従し、かつ前記充填包装袋のフィルムの外側両面側からそれぞれ対向して押圧当接可能とする検出子と、前記充填包装袋の袋状部と横シール部との厚みの差異による前記検出子の変位を検知する検知器と、を設けてなることを特徴とする充填包装袋の厚み検出装置。
【請求項２】
前記搬送機構によって搬送される前記充填包装袋を案内ガイドし、充填包装袋の袋状部を両側から挟圧保持可能とする案内ガイド抑え機構を設けてなることを特徴とする請求項１に記載の充填包装袋の厚み検出装置。
【請求項３】
前記案内ガイド抑え機構は、前記厚み検出機構と隣接して設けられていることを特徴とする請求項２に記載の充填包装袋の厚み検出装置。
【請求項４】
縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、前記充填包装袋のフィルムの外側両面側からそれぞれ対向して押圧当接可能とする検出子が設けられるとともに、この検出子をそれぞれ支持する支持部材が支軸を基点として揺動可能に設けられ、かつ前記支持部材の所定箇所に前記検出子の変位を検知する検知器を設けてなることを特徴とする充填包装袋の厚み検出装置。
【請求項５】
前記厚み検出機構の各支持部材間には、前記検出子によって前記充填包装袋のフィルムの外側両面側からそれぞれ対向して押圧当接可能とするための弾性部材を介在してなることを特徴とする請求項４に記載の充填包装袋の厚み検出装置。
【請求項６】
前記搬送機構によって搬送される前記充填包装袋を案内ガイドし、充填包装袋の袋状部を両側から挟圧保持可能とする案内ガイド抑え機構を設けてなることを特徴とする請求項４または請求項５のいずれか１項に記載の充填包装袋の厚み検出装置。
【請求項７】
前記案内ガイド抑え機構は、前記厚み検出機構と隣接して設けられていることを特徴とする請求項６に記載の充填包装袋の厚み検出装置。
【発明の詳細な説明】
【０００１】
【産業上の利用分野】
本発明は、液体や粉体等の内容物を収容した連続状の充填包装袋を搬送しながら、その充填包装袋の厚みを検知する充填包装袋の厚み検出装置に関するものである。
【０００２】
【従来の技術】
一般に液体や粉体等の内容物を収容した充填包装袋は、充填包装機により帯状のフィルムを連続的に送り出して製袋しつつ縦方向に熱シールした縦シール部と、この縦シール部に対して所定間隔毎に横方向に熱シールした横シール部とが施され、前記縦シール部と前記横シール部とに包囲されたフィルム内に内容物を充填した袋状部が形成されている。この内容物が充填されて密封された充填包装袋は、たとえば充填包装機に備えつけられたカッター機構によって各充填包装袋の横シール部の中央を切断して一個毎に小袋として搬出したり、横シール部の中央にミシン目を入れて搬出したり、あるいは、繋がった連続状態の充填包装袋を連続搬出させながら次の工程に備えられた自動箱詰め装置へと送り込み、自動箱詰め装置に備え付けられている充填包装袋の厚み検出機構によって、充填包装袋をそのまま所定数カウントして収納箱内に梱包するようにしている。
【０００３】
この場合、連続状態に繋がった充填包装袋を前記厚み検出機構によって所定数カウントして収納箱内に折り込みながら梱包したり、あるいは連続状態につながった充填包装袋を前記厚み検出機構によって充填包装袋の横シール部位置を検知しつつ所定数カウントしながら各充填包装袋を箱詰め装置に設けられたカッター機構によって切断し、個々に切断された充填包装袋を包装箱内に収納したりするようにしている。
【０００４】
また前記内容物として食品類などにあっては、衛生面の関係から一般的に包装作業を行う前、あるいはその包装作業後に殺菌処理のために高温に加熱処理することがあり、この際、加熱されたままの状態では内容物が変質してしまう虞もあり、また高温の状態ではその後の工程であるたとえば箱詰め工程などにおいての作業が困難となることがある。
【０００５】
そこで、たとえば充填包装機のカッター機構によって切り放された充填包装袋を搬入コンベアを介して水槽などからなる冷却装置に備え付けられたネットコンベアへと送り込み、冷却装置の冷却媒体中を搬送することにより、その充填包装袋を急速的に冷却した後に搬出コンベアによって冷却装置の外部側へと搬送するものが提案されているが、前述したように搬入コンベア，ネットコンベアを備えた冷却装置，搬出コンベアなど装置構造が大がかりになってしまうとともに、個々に切り放された包装袋であるため、その包装袋に付着した冷却媒体を除去する作業工程において高能率に行うことは困難であるなどの問題がある。
【０００６】
この問題を考慮する手段として、充填包装袋を前記充填包装機に備え付けられたカッター機構によって切断搬出することなく連続帯状の包装袋のまま搬出させて冷却装置へ搬送し、この冷却装置内を搬送することにより内容物を冷却し、冷却処理後に冷却装置の後工程として設置した切断装置によって、連続帯状包装袋から分離して単数、あるいは複数個に連なった充填包装袋として形成することが行われている。
【０００７】
前記充填包装機により製袋されて充填包装された連続帯状包装袋が後工程として設置された切断装置の供給側へと包装袋が供給され、その供給された連続帯状包装袋を搬送する一対の搬出ローラあるいは一対の搬出ベルトからなる搬送機構と、搬送される連続帯状包装袋の袋状部と横シール部箇所との厚みの変位を検出する対をなす厚み検出ローラからなる検出機構と、この検出機構の検出信号に基づいて、この検出位置からカッター機構までの距離により連続帯状包装袋の横シール部箇所の中央部を切断するようにカッター機構のカッターを作動させて連続帯状包装袋から単数、あるいは複数個に連ねた包装袋に分離するように前記切断装置を構成している。
【０００８】
ところで、前述した従来技術からなる前記自動箱詰め装置や前記切断装置にあっては、充填包装袋の数を数えたり、あるいは各充填包装袋間の横シール部の切断位置を検知するために、連続帯状の充填包装袋の厚みの変化を検出、すなわち連続帯状の充填包装袋において、肉薄部である横シール部と、肉厚部である内容物を充填して密封した袋状部との厚み寸法の差異を対をなす厚み検出ローラ、たとえば回動自在な固定ローラと、その固定ローラと対向して設けられ、ばね力あるいは磁石の吸着，反発力などにより押圧するように配設された揺動ローラの変位として取り出し、この変位量が所定値を越えたことを検知器により検知して充填包装袋の厚みを検出するようにした厚み検出装置が、知られている（たとえば、特許文献１あるいは特許文献２を参照。）
【０００９】
【特許文献１】
実公昭５８−２６３２２号公報
【特許文献２】
実公平４−１６１６８号公報
【００１０】
【発明が解決しようとする課題】
しかしながら上述した従来装置においては、前にも述べたように、肉薄部である横シール部と、肉厚部である内容物を充填した袋状部との厚さ寸法の差異を揺動ローラの変位として検出しているため、たとえば袋状部に収容される内容物が少量である場合には袋状部の膨らみが小さく揺動ローラの変位が微少となり、また逆に、袋状部に収容される内容物が大量である場合には袋状部の膨らみが大きく揺動ローラの変位が大きくなるため、揺動ローラ変位に合わせて調整する必要があり、また連続帯状の充填包装袋を高速で搬送しながら検出する際には、連続した充填包装袋の送りに対して共振現象などの作用により充填包装袋が横ぶれを起こす場合があり、これにより充填包装袋の形状変化に揺動ローラの揺動が追従できなくなることがあり、またこの場合、揺動ローラの変位が大きくなればなるほどチャタリングも生じやすくなりやすいという問題もある。
【００１１】
そこで本発明は、従来の問題を解決することをねらいとし、充填包装袋の袋状部に収容される液体や粉体等の内容物の量に影響されることなく、連続帯状の充填包装袋の袋状部と横シール部箇所との厚みによる境目の検知を正確で、かつ安定した追従作動を可能とする充填包装袋の厚み検出装置を提供することを目的とする。
【００１２】
【課題を解決するための手段】
本発明は、請求項１では、縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、連続した充填包装袋の送り方向に対し充填包装袋の横方向の揺れに追従し、かつ前記充填包装袋のフィルムの外側両面側からそれぞれ対向して押圧当接可能とする検出子と、前記充填包装袋の袋状部と横シール部との厚みの差異による前記検出子の変位を検知する検知器と、を設けてなることを特徴とする充填包装袋の厚み検出装置である。
【００１３】
また請求項１において、請求項２では、前記搬送機構によって搬送される前記充填包装袋を案内ガイドし、充填包装袋の袋状部を両側から挟圧保持可能とする案内ガイド抑え機構を設けてなることを特徴とする充填包装袋の厚み検出装置である。
【００１４】
また請求項２において、請求項３では、前記案内ガイド抑え機構は、前記厚み検出機構と隣接して設けられていることを特徴とする充填包装袋の厚み検出装置である。
【００１５】
また本発明は、請求項４では、縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、前記充填包装袋のフィルムの外側両面側からそれぞれ対向して押圧当接可能とする検出子が設けられるとともに、この検出子をそれぞれ支持する支持部材が支軸を基点として揺動可能に設けられ、かつ前記支持部材の所定箇所に前記検出子の変位を検知する検知器を設けてなることを特徴とする充填包装袋の厚み検出装置である。
【００１６】
また請求項４において、請求項５では、前記厚み検出機構の各支持部材間には、前記検出子によって前記充填包装袋のフィルムの外側両面側からそれぞれ対向して押圧当接可能とするための弾性部材を介在してなることを特徴とする充填包装袋の厚み検出装置である。
【００１７】
また請求項４または請求項５のいずれか１項において、請求項６では、前記搬送機構によって搬送される前記充填包装袋を案内ガイドし、充填包装袋の袋状部を両側から挟圧保持可能とする案内ガイド抑え機構を設けてなることを特徴とする充填包装袋の厚み検出装置である。
【００１８】
また請求項６において、請求項７では、前記案内ガイド抑え機構は、前記厚み検出機構と隣接して設けられていることを特徴とする充填包装袋の厚み検出装置である。
【００１９】
【発明の実施の形態】
縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、連続した充填包装袋の送り方向に対し充填包装袋の横方向の揺れに追従し、かつ前記充填包装袋のフィルムの外側両面側からそれぞれ対向して押圧当接可能とする検出子と、前記充填包装袋の袋状部と横シール部との厚みの差異による前記検出子の変位を検知する検知器と、を設けてなる充填包装袋の厚み検出装置であるため、品種毎の包装形態、特に充填包装袋の厚みが変わったとしても、充填包装袋の横揺れに対しても追従性が良好となり、充填包装袋の袋状部の厚みの変化に影響されることなく安定した状態にて検知器を作動することができる。
【００２０】
この際、請求項２では、前記搬送機構によって搬送される前記充填包装袋を案内ガイドし、充填包装袋の袋状部を両側から挟圧保持可能とする案内ガイド抑え機構を設けてなることにより、また請求項３では、前記案内ガイド抑え機構は、前記厚み検出機構と隣接して設けてなることにより、充填包装袋のフィルムの外側両面側からそれぞれ対向して押圧当接可能とする検出子が充填包装袋の袋状部を押し圧しても、前記案内ガイド抑え機構によって充填包装袋の袋状部を両側から挟圧保持可能としているため、たとえば液体からなる内容物であったとしても袋状部が固く膨らんだ状態にて検出子によって検知することができ、袋状部位置と横シール位置との厚みの変化分を明確にすることができ、これにより検知精度をさらに高めることが可能となる。
【００２１】
また請求項４では、縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、前記充填包装袋のフィルムの外側両面側からそれぞれ対向して押圧当接可能とする検出子が設けられるとともに、この検出子をそれぞれ支持する支持部材が支軸を基点として揺動可能に設けられ、かつ前記支持部材の所定箇所に前記検出子の変位を検知する検知器を設けてなることにより、品種毎の包装形態、特に充填包装袋の厚みが変わったとしても、前記充填包装袋の袋状部と横シール部とのフィルムの外側両面側からそれぞれ対向して押圧当接可能とする検出子を前記支軸を基点として支持部材に設けることによって充填包装袋の横揺れに対しても追従性が良好となり、充填包装袋の袋状部の厚みの変化に影響されることなく安定した状態にて検知器を作動することができる。
【００２２】
この際、請求項４において、請求項５では、前記厚み検出機構の各支持部材間には、前記検出子によって前記充填包装袋のフィルムの外側両面側からそれぞれ対向して押圧当接可能とするための弾性部材を介在してなることにより、弾性部材のテンションによって検出子同志を充填包装袋の袋状部のフィルムの外側両面から挟み付けながら押圧するように設けることにより、袋状部の膨らみ部分と横シール部の薄肉部分との厚みの違いに応じて両側から追従作動するため、充填包装袋を連続状態で搬送する速度が高速になったとしても、従来に比べて応答性が良好となり、検出精度を高めることができるという効果がある。
【００２３】
また請求項４または請求項５において、請求項６では、前記搬送機構によって搬送される前記充填包装袋を案内ガイドし、充填包装袋の袋状部を両側から挟圧保持可能とする案内ガイド抑え機構を設けてなることにより、また請求項７では、前記案内ガイド抑え機構は、前記厚み検出機構と隣接して設けてなることにより、充填包装袋のフィルムの外側両面側からそれぞれ対向して押圧当接可能とする検出子が充填包装袋の袋状部を押し圧しても、前記案内ガイド抑え機構によって充填包装袋の袋状部を両側から挟圧保持可能としているため、たとえば液体からなる内容物であったとしても袋状部が固く膨らんだ状態にて検出子によって検知することができ、袋状部位置と横シール位置との厚みの変化分を明確にすることができ、これにより検知精度をさらに高めることが可能となる。
【００２４】
【実施例】
以下、本発明に係る帯状に連続した充填包装袋の厚み検出装置を切断装置に適用した例を参照にして説明する。図１から図６は本発明の第１実施例を示すもので、たとえばホットパックと称される高温の液体や粘稠物などからなる液状物質を内容物として包装する場合、その内容物を加熱殺菌しながら充填包装機Ｊによって連続した帯状の充填包装袋Ｐとして充填包装し、その加熱された充填包装袋Ｐを熱交換処理装置である冷却装置Ｒへと供給して冷却するように構成しており、この冷却装置Ｒによって冷やされた連続した帯状の充填包装袋Ｐが切断装置Ｃへと供給案内される。
【００２５】
この場合、連続した帯状の充填包装袋Ｐは、充填包装機Ｊにより帯状のフィルムＦを連続的に送り出して製袋しつつ二つ折りに折り返された折返し部と、折り返して重ね合わされたフィルムＦの重合端縁を縦方向にヒートシールした縦シール部ＦＨと、この縦シール部ＦＨに対して所定間隔毎に横方向にヒートシールした横シール部ＦＳとが施され、前記縦シール部ＦＨと前記横シール部ＦＳとに包囲されたフィルムＦ内に内容物を充填した袋状部ＦＰとによって形成され、各袋状部ＦＰがこの横シール部ＦＳに区画されつつ縦方向に連なった連続した帯状の充填包装袋Ｐとして形成されている。
【００２６】
また前記切断装置Ｃとしては、前工程である冷却装置Ｒから連続した帯状の充填包装袋Ｐを本体フレーム１の上側から下側に向けて連続状態に搬送するように設けられており、この場合、前記切断装置Ｃに備え付けられる充填包装袋Ｐの厚み検出装置２としては、縦シール部ＦＨと横シール部ＦＳとにより包囲されたフィルムＦ内に内容物を充填収容した袋状部ＦＰを設けた充填包装袋Ｐを連続状態で搬送する搬送機構３が設けられ、この搬送機構３によって搬送される充填包装袋Ｐを案内ガイドし、充填包装袋Ｐの袋状部ＦＰを両側から挟圧保持可能とする案内ガイド抑え機構４が設けられ、この案内ガイド抑え機構４と隣接した位置にて充填包装袋Ｐに形成された前記袋状部ＦＰと前記横シール部ＦＳとの厚みの差異を検出可能とする厚み検出機構５が設けられている。また前記厚み検出機構５により検知された信号に基づき前記横シール部ＦＳ箇所の中央部を切断して前記連続した帯状の充填包装袋Ｐから単数，あるいは複数の包装袋Ｐに分離する切断装置Ｃとしてのカッター機構６とから構成されている。
【００２７】
前記搬送機構３は、前工程である冷却装置Ｒから搬出された連続した帯状の充填包装袋Ｐが、前記本体フレーム１の上側から下側に向けて供給するように設けられており、本体フレーム１の上方に設けられた回転供給ドラム７と充填包装袋Ｐを挟んで搬送する一対の対向する無端状の搬出ベルト８とによって構成されている。
【００２８】
この搬送機構３の回転供給ドラム７と搬出ベルト８との間には、搬送機構３により搬送される連続した帯状の充填包装袋Ｐを案内ガイドし、充填包装袋Ｐの袋状部ＦＰを両側から挟圧保持可能とする前記案内ガイド抑え機構４が設けられている。この案内ガイド抑え機構４は、充填包装袋Ｐの厚み方向の両側に沿って板状のガイド板９が配設され、その内側には所定の幅を有する押圧板１０がそれぞれ対向して設けられている。また前記ガイド板９の少なくとも一方にはシリンダ１１が連結され、他方のガイド板９と対向して前後方向に案内ロッド１２に沿って一方のガイド板９が往復移動可能に設けられており、前記搬送機構３の作動時においては、シリンダ１１の作動により前記一方のガイド板９が他方のガイド板９側に向けて所定の押圧力にて充填包装袋Ｐの袋状部ＦＰを押圧付勢するようにしている。
【００２９】
また前記案内ガイド抑え機構４と隣接した位置にて充填包装袋Ｐに形成された前記袋状部ＦＰと前記横シール部ＦＳとの厚みの差異を検出可能とする前記厚み検出機構５が設けられている。この厚み検出機構５には、前記充填包装袋Ｐの袋状部ＦＰのフィルムＦの外側両面側からそれぞれ対向して押圧当接可能とする検出子１３が設られるとともに、この各検出子１３をそれぞれ支持する支持部材である揺動アーム部材１４を支軸１５を基点として開閉状態に揺動可能に設け、かつこの第１実施例においては、前記揺動アーム部材１４の一方側のアームの端部の所定箇所に検出子１３の変位を検知する検知器となる近接センサ１６を他方の揺動アーム部材１４のアームの端部と近接状態にして対峙して設けて構成している。また第１実施例では、前記検出子１３によって充填包装袋ＰのフィルムＦの外側両面側からそれぞれ対向して押圧当接可能とするためのコイルスプリングなどからなる弾性部材１７を前記それぞれの揺動アーム部材１４の間に掛け渡して配設しており、この弾性部材１７によって引張力を作用させ、各検出子１３同志を充填包装袋Ｐ側に常時当接する方向に作用するように構成している。
【００３０】
また前記一方の揺動アーム部材１４は、本体フレーム１側に設けられた第２の支軸１５Ａを基点にして揺動可能に設けられ、その一方の揺動アーム部材１４の端部側と本体フレーム１側との間にコイルスプリングなどからなる第２の弾性部材１８によって所定方向に引張力を作用させて保持するように設けて構成している。なお、この第１実施例においては、支持部材となる前記揺動アーム部材１４は、その一方の揺動アーム部材１４を略Ｔ字状に形成するとともに、他方の揺動アーム部材１４を略Ｌ字状に形成しており、それぞれ突き出されている側の揺動アーム部材１４の端部同志の間にストッパ部材１９を介在して各検出子１３の隙間の間隔を設定可能に設けている。これにより、充填包装袋Ｐを検出子１３の間に介在した際に、フィルムＦの厚みなどを考慮して設定することにより、フィルムＦの搬送時において負荷の軽減を計ることが可能となり、また前記一方の揺動アーム部材１４の端部に取り付けられている前記近接センサ１６と他方の揺動アーム部材１４のアーム端部とを接近状態にして所定の間隔にて設定可能としている。
【００３１】
以下、本発明に係る充填包装袋の厚み検出装置の作用を説明する。液体や粉体等の内容物を収容した帯状の充填包装袋Ｐが切断装置Ｃの本体フレーム１の上方に設けられた回転供給ドラム７と充填包装袋Ｐを挟んで搬送する一対の対向する無端状の搬出ベルト８とからなる搬送機構３によって、その本体フレーム１の上側から下側に向けて連続状態に搬送されると、充填包装袋Ｐの袋状部ＦＰを両側から挟圧保持可能とする前記案内ガイド抑え機構４によって充填包装袋Ｐがガイド板９に沿って案内ガイドされて搬送されるとともに、その対をなすガイド板９の内壁側にそれぞれ配設された押圧板１０によって充填包装袋Ｐの外面側がシリンダの作動によって所定の押圧力（空圧制御による一定の押圧力）にて挟圧されながら搬送される。このため、充填包装袋Ｐの袋状部ＦＰは所定の押圧力（空圧制御による一定の押圧力）にて挟圧保持されているため、その袋状部ＦＰ箇所のみは外部側から押圧しても固く張りがある。なお、場合によっては、押圧板１０を設けることなく、対をなすガイド板９を配設するだけの構成によって案内ガイド抑え機構４を形成してもよいものであり、少なくとも一方のガイド板９を充填包装袋Ｐの袋状部ＦＰの厚みに合わせて調整移動可能に配設するようにしてもよい。
【００３２】
この際、この第１実施例においては、ガイド板９の内壁側にそれぞれ配設された押圧板１０の長さはほぼ充填包装袋Ｆの横シール部の間の間隔（１ピッチ）に近い長さを有しているため、シリンダの作動によって所定の押圧力にて押圧板１０の間に充填包装袋Ｐの袋状部ＦＰが次々と挟まれながら搬送されて送り出される。この押圧板１０の位置から送り出された充填包装袋Ｐは、前記案内ガイド抑え機構４と隣接した位置にて充填包装袋Ｐに形成された前記袋状部ＦＰと前記横シール部ＦＳとの厚みの差異を検出可能とする厚み検出機構５の検出子１３が配置されているため、前記搬送機構３によって上方から下方に向かって連続的に充填包装袋Ｐが搬送されると、充填包装袋Ｐの搬送による動きに連れて充填包装袋Ｐの袋状部ＦＰと横シール部ＦＳとの厚みに応じて摺動状態で繰り返しながら検出子１３が開閉作動するものであり、この場合、支軸１５を基点として支持部材となる揺動アーム部材１４に設けられた検出子１３がフィルムＦの外側両面側を押圧当接した状態にて揺動移動する。
【００３３】
すなわち、充填包装袋Ｐの袋状部ＦＰが検出子１３位置を通過する際には、充填包装袋Ｐの袋状部ＦＰのフィルムＦの両面側からそれぞれ対向して当接されている検出子１３が、支軸１５を基点として弾性部材１７の力に抗して外方に押されながら支持部材となる揺動アーム部材１４とともに袋状部ＦＰの外径に倣ってそれぞれ揺動移動し、この移動に伴い一方の揺動アーム部材１４のアーム端部に取り付けられている検知器となる近接センサ１６と他方の揺動アーム部材１４のアーム端部との距離が変位することにより、近接センサ１６が作動して検知信号が出力され、この信号に基づいて切断装置Ｃのカッター機構６が作動して連続状態に繋がった充填包装袋Ｐの横シール部ＦＳ箇所の中央部位置が切断されて個々に分離されて搬出される。また充填包装袋Ｐの袋状部ＦＰの位置を通過し、充填包装袋Ｐの横シール部ＦＳの位置に検出子１３が達すると、支軸１５を基点として弾性部材１７の力に抗して外方に押されていた支持部材となるそれぞれの揺動アーム部材１４が元の位置に復帰する。この繰り返し作動によって充填包装袋Ｐが次々と通過したことが検知される。この際、厚み検出機構５には、支軸１５を基点として揺動可能とする揺動アーム部材１４に検出子１３が充填包装袋Ｐの袋状部ＦＰのフィルムＦの両面側からそれぞれ対向して押圧当接可能に設けられるとともに、前記揺動アーム部材１４の所定箇所に検出子１３の変位を検知する検知器（近接センサ）１６を設けてなることにより、品種毎の包装形態、特に充填包装袋Ｐの厚みが変わったとしても、充填包装袋Ｐの袋状部ＦＰのフィルムＦの両面側からそれぞれ対向して押圧当接可能とする検出子１３が支軸１５を基点として支持部材となる揺動アーム部材１４に設けられることによって追従性が良好となり、充填包装袋Ｐの袋状部ＦＰの厚みの変化に影響されることなく安定した状態にて検知器１６を作動することができる。
【００３４】
また充填包装袋Ｐの袋状部ＦＰは所定の押圧力（空圧制御による一定の押圧力）にて挟圧保持した状態にて厚み検出機構５へと充填包装袋Ｐを搬送するため、充填包装袋Ｐの厚みの変化を良好に検出子１３の追従作動によって検知器１６の作動も良好となるため、これにより充填包装袋Ｐの袋状部ＦＰに収容される内容物の量に関係なく、従来に比べて正確でかつ充填包装袋の搬送速度が高速となった場合であっても追従性の良好な検知作業が可能となるものであり、また搬送速度が高速になるに連れて充填包装袋Ｐの横ぶれが生じやすいが、この第１実施例においては、第２の支軸１５Ａを基点にして充填包装袋Ｐの動き（横ぶれ）に連れて支持部材である各揺動アーム部材１４が揺動するように設けられているため、横ぶれに影響されることなく検出精度を高めることが可能となり、応答性も良好に保つことができるという効果がある。
【００３５】
図７は、本発明の第２実施例を示すものであり、前述した第１実施例と同様に案内ガイド抑え機構４と隣接した位置にて充填包装袋Ｐに形成された前記袋状部ＦＰと前記横シール部ＦＳとの厚みの差異を検出可能とする前記厚み検出機構５を設けて構成している。この実施例では、厚み検出機構５には、充填包装袋Ｐの袋状部ＦＰのフィルムＦの外側両面側からそれぞれ対向して押圧当接可能とする検出子１３が設られるとともに、この各検出子１３をそれぞれ支持する支持部材である揺動アーム部材１４が本体フレーム１に取り付けられた支軸１５Ａに直接的に揺動可能に設けられている。また支持部材である揺動アーム部材１４の一方側のアームの端部の所定箇所には検出子１３の変位を検知する検知器となるフォトセンサ１６Ａが設けられるとともに、他方の揺動アーム部材１４のアームの端部に検知器となるフォトセンサ１６Ｂが対峙して設けられている。
【００３６】
また前記検出子１３によって充填包装袋ＰのフィルムＦの外側両面側からそれぞれ対向して押圧当接可能とするためのコイルスプリングなどからなる弾性部材１７が支持部材である前記それぞれの揺動アーム部材１４の間に掛け渡して配設されている。また前記弾性部材１７によって引張力を作用させ、各検出子１３同志を充填包装袋Ｐ側に常時当接する方向に作用するように構成するとともに、充填包装袋Ｐの横揺れに対しても支軸１５Ａを基点として各検出子１３が支持部材１４を介して追従して作動するように設けられている。
【００３７】
従って、前述した第１実施例とほぼ同様にして、品種毎の包装形態、特に充填包装袋Ｐの厚みが変わったとしても、充填包装袋Ｐの袋状部ＦＰのフィルムＦの両面側からそれぞれ対向して押圧当接可能とする検出子１３が支軸１５Ａを基点として支持部材となる揺動アーム部材１４Ａに設けられることによって追従性が良好となり、充填包装袋Ｐの袋状部ＦＰの厚みの変化に影響されることなく安定した状態にてフォトセンサ１６Ａ、１６Ｂからなる検知を作動することができるとともに、支軸１５Ａを基点にして充填包装袋Ｐの動き（横ぶれ）に連れて支持部材である各揺動アーム部材１４が揺動するように設けられているため、横ぶれに影響されることなく従来に比べて検出精度を高めることが可能となり、応答性も良好に保つことができるという効果がある。
【００３８】
なお、本発明は上述した実施例に限定されるものでなく本発明の要旨の範囲において種々の変形実施が可能であり、厚み検出機構５の検出子１３の形状，支持部材１４の形状などは適宜変更可能であり、各実施例においては、検出子１３を充填包装袋ＰのフィルムＦの外側両面側からそれぞれ対向して押圧当接可能とするために、支軸１５を基点として支持部材１４を介して揺動可能に設けて構成していたが、各検出子１３を支持する支持部材を充填包装袋Ｐの厚み方向にほぼ沿ってスライド移動可能に設けるとともに、その各支持部材を連続した充填包装袋の動き（横ぶれ）に連れて追従作動可能に設けることによって同様の効果を得ることができるものである。
【００３９】
また実施例においては、厚み検出機構５の各支持部材１４（揺動アーム部材）間には、検出子１３を充填包装袋ＰのフィルムＦの外側両面側からそれぞれ対向して押圧当接可能とするための弾性部材１７としてコイルスプリングを用いていたが、板バネであってもよいしゴムであってもよいものであり、磁石の吸着あるいは反発作用を利用したものであってもよい。また、検知器１６にあっても、磁気的な近接センサに限らずフォトセンサやリミットスイッチによるものであってもよいし、あるいは荷重センサを設けて検出子１３にかかる荷重を検知し、この荷重の差異によって袋状部ＦＰと横シール部ＦＳとを厚みを判別するものであってもよい。充填包装袋の厚み検出装置として充填包装袋Ｐを切断するカッター機構の切断位置を割り出すための検出部として適用していたが、たとえば充填包装袋Ｐの袋状部ＦＰと横シール部ＦＳとの厚みの変化を判別しその信号をカウントして充填包装袋Ｐの個数を計数する装置として適用することも可能である。
【００４０】
【発明の効果】
以上詳述したように、請求項１の発明によれば、縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、連続した充填包装袋の送り方向に対し充填包装袋の横方向の揺れに追従し、かつ前記充填包装袋のフィルムの外側両面側からそれぞれ対向して押圧当接可能とする検出子と、前記充填包装袋の袋状部と横シール部との厚みの差異による前記検出子の変位を検知する検知器と、を設けてなる充填包装袋の厚み検出装置であるため、品種毎の包装形態、特に充填包装袋の厚みが変わったとしても、充填包装袋の横揺れに対しても追従性が良好となり、充填包装袋の袋状部の厚みの変化に影響されることなく安定した状態にて検知器を作動することができる。
【００４１】
この際、請求項１の充填包装袋の厚み検出装置において、請求項２では、前記搬送機構によって搬送される前記充填包装袋を案内ガイドし、充填包装袋の袋状部を両側から挟圧保持可能とする案内ガイド抑え機構を設けてなることにより、また請求項３では、前記案内ガイド抑え機構は、前記厚み検出機構と隣接して設けてなることにより、充填包装袋のフィルムの外側両面側からそれぞれ対向して押圧当接可能とする検出子が充填包装袋の袋状部を押し圧しても、前記案内ガイド抑え機構によって充填包装袋の袋状部を両側から挟圧保持可能としているため、たとえば液体からなる内容物であったとしても袋状部が固く膨らんだ状態にて検出子によって検知することができ、袋状部位置と横シール位置との厚みの変化分を明確にすることができ、これにより検知精度をさらに高めることが可能となる。
【００４２】
また請求項４の発明によれば、縦シール部と横シール部とにより包囲されたフィルム内に内容物を充填収容した袋状部を設けた充填包装袋を連続状態で搬送する搬送機構と、連続した前記充填包装袋に形成された前記袋状部と前記横シール部との厚みの差異を検出可能とする厚み検出機構とを備え、この厚み検出機構には、前記充填包装袋のフィルムの外側両面側からそれぞれ対向して押圧当接可能とする検出子が設けられるとともに、この検出子をそれぞれ支持する支持部材が支軸を基点として揺動可能に設けられ、かつ前記支持部材の所定箇所に前記検出子の変位を検知する検知器を設けてなることにより、品種毎の包装形態、特に充填包装袋の厚みが変わったとしても、前記充填包装袋の袋状部と横シール部とのフィルムの外側両面側からそれぞれ対向して押圧当接可能とする検出子を前記支軸を基点として支持部材に設けることによって充填包装袋の横揺れに対しても追従性が良好となり、充填包装袋の袋状部の厚みの変化に影響されることなく安定した状態にて検知器を作動することができる。
【００４３】
この際、請求項４の充填包装袋の厚み検出装置において、請求項５では、前記厚み検出機構の各支持部材間には、前記検出子によって前記充填包装袋のフィルムの外側両面側からそれぞれ対向して押圧当接可能とするための弾性部材を介在してなることにより、弾性部材のテンションによって検出子同志を充填包装袋の袋状部のフィルムの外側両面から挟み付けながら押圧するように設けることにより、袋状部の膨らみ部分と横シール部の薄肉部分との厚みの違いに応じて両側から追従作動するため、充填包装袋を連続状態で搬送する速度が高速になったとしても、従来に比べて応答性が良好となり、検出精度を高めることができるという効果がある。
【００４４】
また、請求項４または請求項５の充填包装袋の厚み検出装置において、請求項６では、前記搬送機構によって搬送される前記充填包装袋を案内ガイドし、充填包装袋の袋状部を両側から挟圧保持可能とする案内ガイド抑え機構を設けてなることにより、また請求項７では、前記案内ガイド抑え機構は、前記厚み検出機構と隣接して設けてなることにより、充填包装袋のフィルムの外側両面側からそれぞれ対向して押圧当接可能とする検出子が充填包装袋の袋状部を押し圧しても、前記案内ガイド抑え機構によって充填包装袋の袋状部を両側から挟圧保持可能としているため、たとえば液体からなる内容物であったとしても袋状部が固く膨らんだ状態にて検出子によって検知することができ、袋状部位置と横シール位置との厚みの変化分を明確にすることができ、これにより検知精度をさらに高めることが可能となる。
【図面の簡単な説明】
【図１】本発明の第１実施例である充填包装袋の厚み検出装置を包装システムに適用した全体構成を示す概要図である。
【図２】本発明の第１実施例で適用される連続した帯状の充填包装袋を成形するまでの包装袋を示す概要斜視図である。
【図３】図３は、図１の切断装置に備え付けられた厚み検出装置の主要部を示す概要斜視図である。
【図４】図４は、図３の切断装置において、充填包装袋の厚み検出機構を主体的に示す要部の正面図である。
【図５】図５は、図４の充填包装袋の厚み検出機構における動作を示す要部の正面図である。
【図６】図６は、図５に対応する動作状態における案内ガイド抑え機構の要部を示した正面図である。
【図７】図７は、本発明の第２実施例を示す切断装置に備え付けられた充填包装袋の厚み検出装置を主体に表した要部の正面図である。
【符号の説明】
Ｃ　　切断装置
Ｆ　　フィルム
ＦＨ　縦シール部
ＦＰ　袋状部
ＦＳ　横シール部
Ｊ　　充填包装機
Ｐ　　充填包装袋
Ｒ　　冷却装置
１　　本体フレーム
２　　厚み検出装置
３　　搬送機構
４　　案内ガイド抑え機構
５　　厚み検出機構
６　　カッター機構
７　　回転供給ドラム
８　　搬出ベルト
９　　ガイド板
１０　　押圧板
１１　　シリンダ
１３　　検出子
１４　　揺動アーム部材（揺動部材）
１５　　支軸
１５Ａ　第２の支軸
１６　　近接センサ（検知器）
１７　　弾性部材（コイルスプリング）
１８　　第２の弾性部材（コイルスプリング）
１９　　ストッパ部材
【図１】
2004051225.tif 000003
【図２】
2004051225.tif 000004
【図３】
2004051225.tif 000005
【図４】
2004051225.tif 000006
【図５】
2004051225.tif 000007
【図６】
2004051225.tif 000008
【図７】
2004051225.tif 000009